(57)【要約】      （修正有）【課題】バッグ等に入れて携帯する必要がなく、また、常に手全体を包むように装着している必要がなく、かつ、接触感染を避けるべき局面になった場合直ちに装着することができるミトンを提供する。【解決手段】弾性・伸縮性を有する布状体からなるミトン１は、中空の本体１０と、手首から手指を挿入する環状の手首部開口部１１と、ミトン１の内部から手指を外部に出す露出用開口部１４と、親指包被部１２と、親指以外の４指を包被する一括包被部１３を備える。露出用開口部１４は一括包被部１３の先端に形成されていても手の甲に当たる部分に形成されていてもよく、手首部開口部１１は、締め付け手段１５を備えている。【選択図】図２
0003228931.tif 000002
【実用新案登録請求の範囲】
【請求項１】
弾性・伸縮性を有する布状体からなるミトンにおいて、手首から手指を挿入する環状の手首部開口部と、前記ミトンの内部から手指を外部に出す露出用開口部と、親指包被部と、親指以外の４指を包被する一括包被部を備えることを特徴とするミトン。
【請求項２】
請求項１に記載のミトンにおいて、
前記露出用開口部は前記一括包被部の先端に形成されていることを特徴とするミトン。
【請求項３】
請求項２に記載のミトンにおいて、
前記露出用開口部が閉じ具を備えることを特徴とするミトン。
【請求項４】
請求項１に記載のミトンにおいて、
前記露出用開口部は前記ミトンの手の甲に当たる部分に形成されていることを特徴とするミトン。
【請求項５】
請求項１ないし請求項４のいずれかに記載のミトンにおいて、
前記手首部開口部は、締め付け手段を備えていることを特徴とするミトン。
【請求項６】
請求項１ないし請求項５のいずれかに記載のミトンにおいて、
前記締め付け手段は前記手首部開口部外部を周回する帯状体又はひも状体であることを特徴とするミトン。
【請求項７】
請求項１ないし請求項６のいずれかに記載のミトンにおいて、
前記ミトンの素材の一部または全部が、電導性を有する部材から構成されていることを特徴とするミトン。
【請求項８】
請求項１ないし請求項７のいずれかに記載のミトンにおいて、
前記手首部開口部が本体収納部を備えることを特徴とするミトン。
【考案の詳細な説明】
【技術分野】
【０００１】
本考案は、全体を着脱せずに必要な場合のみ手の指や手の平を覆うことができるミトンに関する。
【背景技術】
【０００２】
新型コロナウイルスの流行において、接触感染の危険が高いため、従来日常的に素手で触れていた場所についても、素手で触れることを回避する必要が高まっている。
【０００３】
従来、簡便に指に着脱することができ、且つ指が汚れることを防止することができる指カバーとして、指の略周囲を巻回できる寸法の非粘着性表面を有するシート部と、前記シート部を前記指に固定する指用固定部と、巻回される前記シート部間を固定するシート部用固定部とを有することを特徴とする指カバーが知られている（特許文献１）。
【０００４】
この指カバーによれば、指に簡単に装着して固定することができるうえ、指カバーから指を簡単に外すことも可能となる。さらに、食物などを指で掴んだ場合でも当該指が汚れることが殆どない。したがって、指カバーを指に着脱する際の煩わしさを殆ど感じることがないうえ、指を清潔に保つことができるものである。
【０００５】
また、汚物の処理を簡便なものとすると共に、汚物を収容した袋の手の平挿入口部を簡単かつ確実に閉塞し、見栄えもよく手に提げられ、衛生的に処理できる汚物処理用手袋として、袋体の先端部に各指が挿入可能な指部と、幅広い手の平部５とを連設してなる柔軟性素材からなる汚物処理用手袋であって、前記指部同士の間に、各指挿入部付け根部から上部へ延設する水掻き部を設け、当該水掻き部の外縁を前記各指部の指先端部の位置、又は当該指先端部の位置より更に外側に位置させており、前記幅広い手の平部は、前記指部の親指部と小指部の指先端部より更に横外方に張り出しており、かつ手の平挿入口部まで延設された張り出部を備えており、当該張り出部と、これに隣接する指部との間にも、水掻き部が設けられており、前記袋体の手の平挿入口部近傍で、かつ前記袋体の内側に、一対の曲線状持ち手が設けられており、当該一対の曲線状持ち手を用いて前記袋体を裏返すことができ、袋体を裏返した上で当該一対の曲線状持ち手を互いに結び合わることで手の平挿入口部を閉塞できる汚物処理用手袋が知られている（特許文献２）。
【０００６】
この汚物処理用手袋によれば、手の挿入口部から手を入れて装着することで、排便等が指の隙間から落ちず、水掻き部略円形指部に各指が入り拘束されず指を自由に動かして排便等をかき集め易く、掴み幅広い手の平部に確実に収容すると共に、袋体の手の平挿入口部近傍の中部に設けた、曲線状部把持用を掴み持ち引っ張ると指部が固定され、また、持ち手部となり結び止めもでき曲線状持ち手を用いて裏返すことができ、その上で曲線状持ち手を互いに結び合わせれば、簡単に手の平挿入口部を閉塞できることにより、手を汚すことなく衛生的に排便等の処理を能率的で容易に行うことができ、閉塞後はそのまま曲線状持ち手部を持って手に提げて持ち運びができ清潔に廃棄できる。
【先行技術文献】
【特許文献】
【０００７】
【特許文献１】特開２００５−６８６０３
【０００８】
【特許文献２】特許第４１４６５０３号
【考案の概要】
【考案が解決しようとする課題】
【０００９】
しかし、上述した指カバーでは、着脱が煩雑で必要な時にすぐに装着するのが困難であり、各指用に分かれているために、携帯の際に例えば一つの袋にまとめて入れておかないと、バッグ等の中で散らばってしまうなどの問題があった。
【００１０】
また、上述した汚物処理用手袋、使用の際に全体を着脱せねばならず、使用の必要が生じる度にバッグ等から取り出さねばならないという問題があった。
【００１１】
また、春から秋までは手袋を常に装着すれば、季節的に暑く、また、外観も不自然であるという問題もあった。
【００１２】
本考案はこのような事情に鑑みてなされたものであり、バッグ等に入れて携帯する必要がなく、また、常に手全体を包むように装着している必要がなく、かつ、接触感染を避けるべき局面になった場合直ちに装着することができるミトンを得ることを目的とする。
【課題を解決するための手段】
【００１３】
このような目的に応えるために本考案に係るミトンは、弾性・伸縮性を有する布状体からなり、手首から手指を挿入する環状の手首部開口部と、ミトンの内部から手指を外部に出す露出用開口部と、親指包被部と、親指以外の４指を包被する一括包被部を備えることを特徴とする。
【００１４】
このように構成することにより、通常はリストバンドのように手首に装着しておき、手や指で直接接触したくないものに接触する場合に、各指を含む手全体を包被することができるという利点がある。
【００１５】
本考案に係るミトンは、露出用開口部は前記一括包被部の先端に形成されていることを特徴とする。
【００１６】
このように構成することにより、全体的にチューブ状に近い形状となり、単純な形状で製造工程において工数が少なくて済み、コストを削減できるという利点がある。
【００１７】
本考案に係るミトンは、露出用開口部が閉じ具を備えることを特徴とする。
【００１８】
このように構成することにより、手や指で直接接触したくないものに接触する場合に、指などが露出してしまうのを防ぐことができるという利点がある。
【００１９】
本考案に係るミトンは、露出用開口部がミトンの手の甲に当たる部分に形成されていることを特徴とする。
【００２０】
このように構成することにより、指や手の平を包被する状態でも甲部が解放されていて、夏などでも暑さを抑制することができるという利点がある。
【００２１】
本考案に係るミトンは、手首部開口部は、締め付け手段を備えていることを特徴とする。
【００２２】
このように構成することにより、ミトンが手から脱落してしまわないようにすることができるという利点がある。
【００２３】
本考案に係るミトンは、締め付け手段は手首部開口部外部を周回する帯状体又はひも状体であることを特徴とする。
【００２４】
このように構成することにより、手や指を露出した状態において、縮めたミトン本体を手首周りで押さえることができるという利点がある。
【００２５】
本考案に係るミトンは、ミトンの素材の一部または全部が、電導性を有する部材から構成されていることを特徴とする。
【００２６】
このように構成することにより、ミトンを装着したままスマートフォンやエレベーターなどのタッチセンサー式のボタンを操作することができるという利点がある。
【００２７】
本考案に係るミトンは、手首部開口部が本体収納部を備えることを特徴とする。
【００２８】
このように構成することにより、手指を露出してミトンを装着する際に、本体を手首部開口部に固定して安定した状態にすることができるという利点がある。
【考案の効果】
【００２９】
以上説明したように本考案に係るミトンによれば、バッグ等に入れて携帯する必要がなく、また、常に手全体を包むように装着している必要がなく、かつ、接触感染を避けるべき局面になった場合直ちに装着することができるミトンを得ることができる。
【００３０】
特に、本考案によれば、手や指を露出した状態においては、リストバンドのように見えて、他人に違和感を感じさせることが少ないという利点がある。
【図面の簡単な説明】
【００３１】
【図１】本考案に係るミトンの第一の実施形態を示し、ミトン１全体の手の甲側から見た斜視図である。
【図２】図１のミトン１の、手の平側から見た斜視図である。
【図３】図１のミトン１を使用者が着用した状態の斜視図である。
【図４】図２のミトン１を使用者が着用した状態の斜視図である。
【図５】図３のミトン１を使用者が着用し、指を露出した状態の斜視図である。
【図６】本考案に係るミトンの第二の実施形態を示し、ミトン２全体の手の平側から見た斜視図である。
【図７】図６のミトン２の露出用開口部を閉じた状態の斜視図である。
【図８】本考案に係るミトンの第三の実施形態を示し、ミトン３全体の手の甲側から見た斜視図である。
【図９】図８のミトン３を使用者が着用し、指を露出した状態の斜視図である。
【図１０】図９のミトン３において、手首締め付けベルトを伸ばした状態の斜視図である。
【図１１】図１０のミトン３において、手首締め付けベルトを手首部分に巻き付けてミトン本体を押さえた状態の斜視図である。
【図１２】本考案に係るミトンの第四の実施形態を示し、ミトン４全体の手の平側から見た斜視図である。
【図１３】図１２のミトン４において、本体を手首部に巻き込んで固定した状態をミトン４全体の手の平側から見た斜視図である。
【考案を実施するための形態】
【００３２】
図１ないし図５は本考案に係るミトンの第一の実施形態を示すものであり、これらの図において、全体記号１で示すのは本考案を特徴づけるミトンである。
【００３３】
図１においてこれを簡単に説明すると、符号１は、着脱せずに手指を露出させたり包被したりするミトンであり、本図はミトン１を手の甲側から見た斜視図で、中空の本体１０と、本体１０に手首部開口部１１から手を挿入すると手首の位置で締め付けて脱落を防止する手首締め付けベルト１５と、親指を包む親指包被部１２と、親指以外の指を包む一括包被部１３によって構成されている。
【００３４】
図２はミトン１を手の平側から見た斜視図であり、一括包被部１３の指先側の位置に露出用開口部１４が設けられている。なお、手の甲側、手の平側のどちらから見ても同じ形状に構成して、右手と左手のどちらでも使用することができるようにすることもできる。
【００３５】
このミトン１において、手首締め付けベルト１５は、単に伸縮性のある素材により構成することもできるし、面ファスナーなどで手首部に巻き付けた帯状布を固定するように構成することもできる。
【００３６】
図３と図４は、図１と図２において、実際に手を挿入した状態を、手の輪郭を破線で描いて示したものである。例えば電車の車内で吊革につかまる場合、外出先で入室する際にドアノブに触れる場合、エレベーターの呼び出しや階数ボタンを押す場合、エスカレーターに乗ってベルトにつかまる場合などには、ミトン1はこの状態で使用される。
【００３７】
図２、図４で示された本体１０の手の平側には、布状滑り止め具などを設けて、握ったものを滑って放してしまうのを防ぐように構成することもできる。
【００３８】
図５は、図１ないし図４のミトン１において、使用者が手と指を露出用開口部１４から出し、本体１０を手首２０の方に寄せた状態を示す。何かに触れる場合以外は、この状態でリストバンドのように使用することで、季節にとらわれず使用することができ、その都度着脱する必要がない。また、本体１０を手首２０の方に寄せる際に本体１０の表側を巻き込むようにすることで、仮に本体１０の手の平側面などが汚染されたとしても、この状態では他の場所に触れて汚染を拡大することが防がれる。
【００３９】
図６及び図７は本考案に係るミトンの第二の実施形態を示すものであり、これらの図において、全体記号２で示すのは本考案を特徴づけるミトンである。
【００４０】
図６に示すように、露出用開口部１４の内側にボタン１５を設け、露出用開口部１４のボタン１５を設けた位置の反対側にボタン孔１６を設ける。
【００４１】
図７はボタン孔１６にボタン１５を通した状態を示し、こうすることにより露出用開口部１４を閉じて、汚染可能性のある場所を触ろうとするときに、うっかり指が露出してしまうことを防ぐことができる。本実施の形態ではボタンを使用しているが、面ファスナー、スナップやジッパーを使用することもできるし、また、露出用開口部１４の周囲にひもを貫通させて、ひもにより露出用開口部１４を絞ることも可能である。
【００４２】
図６及び図７において、ボタン１５または本体１０を電導性を備える部材により構成することで、ミトンを装着したままスマートフォンやエレベーターなどのタッチセンサー式のボタンを操作することができる。
【００４３】
図８ないし図１１は本考案に係るミトンの第三の実施形態を示すものであり、これらの図において、全体記号３で示すのは本考案を特徴づけるミトンである。
【００４４】
図８においてこれを簡単に説明すると、符号３は、着脱せずに手指を露出させたり包被したりするミトンであり、本図はミトン３を手の平側から見た斜視図で、中空の本体３０と、本体３０に手首部開口部３１から手を挿入すると手首２０の位置で締め付けて脱落を防止する手首締め付けベルト３５と、親指を包む親指包被部３２と、親指以外の指を包む一括包被部３３と、本体３０の手の甲２３側の位置に設けられた露出用開口部１４によって構成されている。
【００４５】
図９は、図８のミトン３において、使用者が手と指を露出用開口部３４から出し、本体３０を手首２０の方に寄せた状態を示す。本体の布材は手の甲側より手の平側が多くなっているため、本体３０は手首２０の内側に垂れ下がるような状態になっている。
【００４６】
図１０は、ミトン３の手首部開口部３１の周囲に、手首２０を２周以上できるような長さの手首締め付けベルト３５を設けて、手首締め付けベルト３５を伸ばした状態を示す。
【００４７】
図１１は、図１０のミトン１において、手首締め付けベルト３５を、手首２０の内側に垂れ下がるような状態の本体３０を巻き込んで手首２０の周りに巻き付けた状態を示す。何かに触れる場合以外は、この状態でリストバンドのように使用することで、季節にとらわれず使用することができ、その都度着脱する必要がない。また、本体３０を手首２０の方に寄せる際に本体３０の表側を巻き込むようにすることで、仮に本体３０の手の平側面などが汚染されたとしても、この状態では他の場所に触れて汚染を拡大することが防がれる。
【００４８】
図１２および図１３は本考案に係るミトンの第四の実施形態を示すものであり、これらの図において、全体記号４で示すのは本考案を特徴づけるミトンである。
【００４９】
図１２は、ミトン４の手首部開口部３１を伸延して本体収納部４５を設けた状態を示す。
【００５０】
図１３は手を露出用開口部４４から出してミトン本体４０を手首側に巻き込み、本体収納部４５をそのミトン本体４０の上にかぶせるように巻き込んだ斜視図であり、これにより本体４０を手首部開口部４１付近に固定することができる。なお、露出用開口部を手の甲側に設ける場合に、本体収納部４５の手首内側にポケット等の収納部を設けて、本体４０をその収納部に収納するように構成することもできる。
【００５１】
なお、本考案は上述した実施の形態で説明した構造には限定されず、各部の形状、構造等を適宜変形、変更し得ることはいうまでもない。
例えば、本体１０の材質には、抗菌素材を採用することもできるし、防水素材、耐熱素材その他の多種多様な素材を用途に合わせて採用することができる。勿論、これらに限定されないことも言うまでもない。
【００５２】
本考案のミトンは、一般人の外出用に使用するためだけでなく、様々な物品に接する際に使用することができる。例えば本体に密閉性の高い素材を採用し、露出用開口部の開閉構造を、閉じた際に高い密閉性を有するようにすれば、医療従事者用に使用することもできる。これらもまた本考案の権利範囲である。
【符号の説明】
【００５３】
１      ミトン
２      ミトン
３      ミトン
４      ミトン
１０    本体
１１    手首部開口部
１２    親指包被部
１３    一括包被部
１４    露出用開口部
１５    手首締め付けベルト
１６    ボタン
１７    ボタン孔
２０    手首
２１    親指
２２    親指以外の指
２３    甲
３０    本体
３１    手首部開口部
３２    親指包被部
３３    一括包被部
３４    露出用開口部
３５    手首締め付けベルト
４０    本体
４１    手首部開口部
４２    親指包被部
４３    一括包被部
４４    露出用開口部
４５    本体収納部
【図１】
0003228931.tif 000003
【図２】
0003228931.tif 000004
【図３】
0003228931.tif 000005
【図４】
0003228931.tif 000006
【図５】
0003228931.tif 000007
【図６】
0003228931.tif 000008
【図７】
0003228931.tif 000009
【図８】
0003228931.tif 000010
【図９】
0003228931.tif 000011
【図１０】
0003228931.tif 000012
【図１１】
0003228931.tif 000013
【図１２】
0003228931.tif 000014
【図１３】
0003228931.tif 000015
【手続補正書】
【提出日】令和2年8月13日(2020.8.13)
【手続補正１】
【補正対象書類名】実用新案登録請求の範囲
【補正対象項目名】全文
【補正方法】変更
【補正の内容】
【実用新案登録請求の範囲】
【請求項１】
弾性・伸縮性を有する布状体からなるミトンにおいて、手首から手指を挿入する環状の手首部開口部と、前記ミトンの内部から手指を外部に出す露出用開口部と、親指包被部と、親指以外の４指を包被する一括包被部を備えることを特徴とするミトン。
【請求項２】
請求項１に記載のミトンにおいて、
前記露出用開口部は前記一括包被部の先端に形成されていることを特徴とするミトン。
【請求項３】
請求項２に記載のミトンにおいて、
前記露出用開口部が閉じ具を備えることを特徴とするミトン。
【請求項４】
請求項１に記載のミトンにおいて、
前記露出用開口部は前記ミトンの手の甲に当たる部分に形成されていることを特徴とするミトン。
【請求項５】
請求項１ないし請求項４のいずれかに記載のミトンにおいて、
前記手首部開口部は、締め付け手段を備えていることを特徴とするミトン。
【請求項６】
請求項５に記載のミトンにおいて、
前記締め付け手段は前記手首部開口部外部を周回する帯状体又はひも状体であることを特徴とするミトン。
【請求項７】
請求項１ないし請求項６のいずれかに記載のミトンにおいて、
前記ミトンの素材の一部または全部が、電導性を有する部材から構成されていることを特徴とするミトン。
【請求項８】
請求項１ないし請求項７のいずれかに記載のミトンにおいて、
前記手首部開口部が本体収納部を備えることを特徴とするミトン。